(57)【要約】【課題】  正確な印字作業を可能にするテープ印字システム用プログラムを提供することである。【解決手段】  印字しようとするロール状テープの全長を入力して、パソコンのメモリ又は記憶装置に格納するステップと、テープの材料特性に起因する伸びを補正するための速度補正率を入力して、パソコンのメモリ又は記憶装置に格納するステップと、エンコーダからの位置情報を基にして、速度補正率を考慮したテープの第１補正位置を求めて、パソコンのメモリ又は記憶装置に格納するステップと、第１補正位置に関するデータを制御ボードに送信するステップと、制御ボードに送信された第１補正位置に関するデータをインクジェットプリンタに送信して、印字を開始させるステップとをパソコンに実行させるためのプログラムが提供される。【選択図】  図１
2010012647.tif 000002
【特許請求の範囲】
【請求項１】
テープ印字装置、インクジェットプリンタ、制御ボード、パーソナルコンピュータおよびエンコーダを備えた、建材割付テープ製作用テープ印字システムに用いられるテープ印字システム用プログラムであって、
印字しようとするロール状テープの全長を入力して、パーソナルコンピュータのメモリ又は記憶装置に格納するステップと、
前記テープの材料特性に起因する伸びを補正するための速度補正率を入力して、パーソナルコンピュータのメモリ又は記憶装置に格納するステップと、
前記エンコーダからの位置情報を基にして、前記速度補正率を考慮したテープの第１補正位置を求めて、パーソナルコンピュータのメモリ又は記憶装置に格納するステップと、
前記第１補正位置に関するデータを前記制御ボードに送信するステップと、
前記制御ボードに送信された前記第１補正位置に関するデータをインクジェットプリンタに送信して、印字を開始させるステップと、
をパーソナルコンピュータに実行させるためのプログラム。
【請求項２】
前記テープの巻き取り時に生ずる伸びを補正するための巻き取り補正率を入力して、パーソナルコンピュータのメモリ又は記憶装置に格納するステップと、
前記エンコーダからの位置情報を基にして、前記巻き取り補正率を考慮したテープの第２補正位置を求めて、パーソナルコンピュータのメモリ又は記憶装置に格納するステップと、
前記第２補正位置に関するデータを前記制御ボードに送信するステップと、
前記制御ボードに送信された前記第２補正位置に関するデータをインクジェットプリンタに送信して、印字を開始させるステップと、
を更に含むパーソナルコンピュータに実行させるための請求項１に記載のプログラム。
【発明の詳細な説明】
【技術分野】
【０００１】
本発明は一般に、テープ印字システム用プログラムに関する。より詳細には、本発明は、正確かつ迅速な割付作業を可能にする建材割付テープを製作するためのテープ印字システム用プログラムに関する。
【背景技術】
【０００２】
建築物のデザインや建材の多様性が増大するのに伴い、建築物の屋根や外壁に定尺幅の建材を用いて現場施工する事例が大半を占めるようになってきている。また、建築物の意匠が高度化し、建材が多種多様になるにつれて、一層高度な建材施工技術が必要になっている。現在、建材等の貼付工事では、一般的に、現場において墨入れによって寸法出し（「割付」と称する）が行われている。墨入れによる現場での割付作業は、手間がかかるとともに、不正確になりがちであるという課題があるが、このような課題を解決すべく、本発明者は、正確かつ迅速な作業の遂行が可能となるように、建材割付テープを製作するための新規なテープ印字システムを開発した（特許文献１参照）。
【０００３】
【特許文献１】特開２００７−８１２０号公報
【発明の開示】
【発明が解決しようとする課題】
【０００４】
特許文献１に記載されたテープ印字システムは、幸いにも好評をもって迎えられたが、テープの材料特性によって生ずるテープ自体の伸び、ロール状に巻かれたテープの巻き始め時と巻き終り時の条件の相違に起因するテープの伸び等により、テープに正確に印字するのが容易ではないという課題があった。
【０００５】
本発明は、このような状況に鑑みて開発されたものであって、正確な印字作業を可能にするテープ印字システム用プログラムを提供することを目的としている。
【課題を解決するための手段】
【０００６】
本願請求項１に記載の、テープ印字装置、インクジェットプリンタ、制御ボード、パーソナルコンピュータおよびエンコーダを備えた、建材割付テープ製作用テープ印字システムに用いられるテープ印字システム用プログラムは、印字しようとするロール状テープの全長を入力して、パーソナルコンピュータのメモリ又は記憶装置に格納するステップと、前記テープの材料特性に起因する伸びを補正するための速度補正率を入力して、パーソナルコンピュータのメモリ又は記憶装置に格納するステップと、前記エンコーダからの位置情報を基にして、前記速度補正率を考慮したテープの第１補正位置を求めて、パーソナルコンピュータのメモリ又は記憶装置に格納するステップと、前記第１補正位置に関するデータを前記制御ボードに送信するステップと、前記制御ボードに送信された前記第１補正位置に関するデータをインクジェットプリンタに送信して、印字を開始させるステップとをパーソナルコンピュータに実行させることを特徴とするものである。
【０００７】
本願請求項２に記載のテープ印字システム用プログラムは、前記請求項１のプログラムにおいて、前記テープの巻き取り時に生ずる伸びを補正するための巻き取り補正率を入力して、パーソナルコンピュータのメモリ又は記憶装置に格納するステップと、前記エンコーダからの位置情報を基にして、前記巻き取り補正率を考慮したテープの第２補正位置を求めて、パーソナルコンピュータのメモリ又は記憶装置に格納するステップと、前記第２補正位置に関するデータを前記制御ボードに送信するステップと、前記制御ボードに送信された前記第２補正位置に関するデータをインクジェットプリンタに送信して、印字を開始させるステップとを更に含むことを特徴とするものである。
【発明の効果】
【０００８】
本発明のプログラムにより、テープの伸びを考慮してテープに印字することができるので、建材割付テープへの正確な印字作業が可能となった。
【発明を実施するための最良の形態】
【０００９】
次に図面を参照して、本発明の好ましい実施の形態に係るテープ印字システム用プログラムについて詳細に説明する。まず最初に、本発明のテープ印字システム用プログラムが組み込まれるテープ印字システムについて説明する。図１は、テープ印字システムの全体を示した模式図である。
【００１０】
図１において、参照符号１０、１２、１４、１６、１８は、テープ印字装置、インクジェットプリンタ、制御ボード、パーソナルコンピュータ（以下「パソコン」という）、テープの位置を検出するためのエンコーダをそれぞれ示している。エンコーダ１８は、テープ印字装置１０の後述する駆動ローラ１０ｃの回転を検知すべく、駆動ローラ１０ｃに連動して配置されている。テープ印字装置１０が、インクジェットプリンタ１２及び制御ボード１４にそれぞれ接続され、制御ボード１４が、インクジェットプリンタ１２、パソコン１６及びエンコーダ１８にそれぞれ接続され、エンコーダ１８がインクジェットプリンタ１２及び制御ボード１４にそれぞれ接続されている。
【００１１】
テープ印字装置１０は、中央ローラ１０ａと、中央ローラ１０ａの直上に配置され、印字用インクを噴射するインクジェットノズル１０ｂとを備えている。インクジェットノズル１０ｂには、インクジェットプリンタ１２が接続されている。インクジェットプリンタ１２は、移動するテープＴに正確な位置で印字を行うエンコーダパルス印字機能を有している。
【００１２】
テープ印字装置１０は又、中央ローラ１０ａの一方の側（図１では左側）において中央ローラ１０ａの最上面よりも僅かに（好ましくは約５ｍｍ〜約２０ｍｍ）下方に最下面が位置するように配置された駆動ローラ１０ｃを備えている。駆動ローラ１０ｃは、駆動ローラ１０ｃの回転軸に連結された駆動源（図示せず）によって回転駆動されるようになっている。なお、安定した印字速度にするため、駆動源は、速度制御型モータを使用するのが好ましい。テープ印字装置１０は又、中央ローラ１０ａの他方の側（図１では右側）において中央ローラ１０ａの最上面よりも僅かに（好ましくは約５ｍｍ〜約２０ｍｍ）下方に最下面が位置するように配置された被動ローラ１０ｄを備えている。被動ローラ１０ｄは、ベルト等の伝動手段（図示せず）によって駆動ローラ１０ｃの回転力が伝達され、これにより、被動ローラ１０ｄは、駆動ローラ１０ｃと同期して回転するようになっている。
【００１３】
テープ印字装置１０は更に、被動ローラ１０ｄの中央ローラ１０ａが位置する側と反対側において被動ローラ１０ｄの最下面よりも最下面が上方に位置するように配置された第１ローラ１０ｆと、駆動ローラ１０ｃの中央ローラ１０ａが位置する側と反対側において駆動ローラ１０ｃの最下面よりも最下面が上方に位置するように配置された第２ローラ１０ｅとを備えている。第１ローラ１０ｆは、印字しようとするテープＴが装着されるローラであり、第２ローラ１０ｅは、印字されたテープＴが巻き取られるローラである。
【００１４】
インクジェットプリンタ１２は、一般的な型式のものでよいが、テープの位置情報を取得するため、エンコーダパルス印字機能を有している。制御ボード１４は、パソコン１６から送信されたデータを受信し、印字に必要なデータを内部メモリに記憶し、プリンタ用データについてはインクジェットプリンタ１２に送信する役目を果たす。なお、本テープ印字システムでは、テープの印字位置をエンコーダ１８からのパルス信号によって判断するが、制御ボード１４は、エンコーダ１８からのパルス信号に基づいて、印字タイミング処理を行うように構成されている。
【００１５】
パソコン１６は、一般的な型式のものでよく、バスによって相互に接続されたＣＰＵ（中央処理装置）、メモリ、ハードディスク等の記憶装置、キーボード等の入力装置、及び表示装置であるディスプレイを有している（図２参照）。
【００１６】
エンコーダ１８は、機械的な回転変位（テープ印字装置１０のローラの回転数）を電気的なパルスに変換することによって、テープＴの位置を検出するようになっている。エンコーダ１８自体は、公知の型式の装置を用いてよい。
【００１７】
図２は、本発明の好ましい実施の形態に係るテープ印字システム用プログラムの一連の手順を示したフロー図である。まず印字しようとするロール状テープの全長Ｌを入力する。入力されたテープの全長Ｌのデータは、メモリ又は記憶装置に格納される。
【００１８】
次いで、速度補正率α1 を入力する。入力された速度補正率α1 は、メモリ又は記憶装置に格納される。ここで、速度補正率α1 とは、テープ送り時のテープの伸びを補正するための補正率である。より詳細には、速度補正率α1 は、印字しようとするテープの材料特性に起因するテープの定常的な伸びを含んでいる。
【００１９】
次いで、エンコーダ１８からの位置情報を基にして、入力された速度補正率α1 に基づいてテープの第１補正位置を計算し、テープの第１補正位置に関するデータをメモリ又は記憶装置に格納する。
より詳細に説明すると、速度補正率α1 を例えば０．００１％とすると、速度補正率α1 を考慮したテープ位置Ｐ1 における補正量Ｈ1 （ｍｍ）は、
Ｈ1 ＝（α1 ×Ｐ1 ）／１０００００〔ｍｍ〕
によって表される。
したがって、速度補正率α1 を考慮したテープ位置Ｐ1 の補正位置Ｐ1 ′は、
Ｐ1 ′＝Ｐ1 −Ｈ1 
によって表される。
【００２０】
次いで、巻き取り補正率α2 を入力する。入力された巻き取り補正率α2 は、メモリ又は記憶装置に格納される。ここで、巻き取り補正率α2 とは、テープの巻き取り時に生ずるテープの伸びを補正するための補正率である。より詳細に説明すると、テープは、第１ローラ１０ｆから被動ローラ１０ｄ、中央ローラ１０ａ、駆動ローラ１０ｃを経て第２ローラ１０ｅに巻き取られるが、巻き始め時と巻き終り時の条件の違い（例えば、巻き始め時においては、第１ローラ１０ｆのテープ径は大きく第２ローラ１０ｅのテープ径は小さくなり、巻き終り時においては、第１ローラ１０ｆのテープ径は小さく第２ローラ１０ｅのテープ径は大きくなる）に起因するテープの伸びを含んでいる。
【００２１】
次いで、エンコーダ１８からの位置情報を基にして、入力された巻き取り補正率α2 に基づいてテープの第２補正位置を計算し、テープの第２補正位置に関するデータをメモリ又は記憶装置に格納する。
より詳細に説明すると、巻き取り補正率α2 、テープ全長Ｌ、テープの特定地点Ｐ2 における補正率Ｒ2 との間の関係は、
Ｒ2 ＝α2 ×（Ｐ2 ／Ｌ）
によって表される（図３参照）。
したがって、特定地点Ｐ2 における補正量Ｈ2 （ｍｍ）は、
Ｈ2 ＝（Ｒ2 ×Ｐ2 ）／１０００００〔ｍｍ〕
によって表される。
これにより、巻き取り補正率α2 を考慮したテープ位置Ｐ2 の補正位置Ｐ2 ′は、
Ｐ2 ′＝Ｐ2 −Ｈ2 
によって表される。
【００２２】
次いで、速度補正率α1 および巻き取り補正率α2 を考慮した第１／第２補正位置に関するデータを、制御ボード１４に送信する。制御ボード１４では、送信された補正位置データに基づいて、プリンタ１２に印字を指示する信号を送り、プリンタ１２では、送信された印字指示信号に基づいて、ノズル１０ｂからインクを噴射させて印字する。
【００２３】
図４（ａ）及び（ｂ）は、建材割付テープＴの印字例を示した図である。すなわち、図４（ａ）は、等間隔（１０５ｍｍ間隔）データを印字した例であり、図４（ｂ）は、テープ貼付時に建材によって寸法印が隠れてしまう場合を考慮して、図４（ａ）のデータにオフセットデータを追加して印字した例である。なお、印字例は、これらに限定されるものではない。
【００２４】
本発明は、以上の発明の実施の形態に限定されることなく、特許請求の範囲に記載された発明の範囲内で、種々の変更が可能であり、それらも本発明の範囲内に包含されるものであることはいうまでもない。
【００２５】
たとえば、前記実施の形態では、速度補正率α1 と巻き取り補正率α2 の両方を考慮して建材割付テープの印字が行われているが、いずれか一方の補正率のみを考慮して印字を行うように構成してもよい。
【図面の簡単な説明】
【００２６】
【図１】本発明の好ましい実施の形態に係るテープ印字システム用プログラムが組み込まれるテープ印字システムの全体を示した模式図である。
【図２】発明の好ましい実施の形態に係るテープ印字システム用プログラムの一連の手順を示したフロー図である。
【図３】巻き取り補正率を説明するための図である。
【図４】建材割付テープＴの印字例を示した図である。
【符号の説明】
【００２７】
１０  テープ印字装置
１０ａ  中央ローラ
１０ｂ  ノズル
１０ｃ  駆動ローラ
１０ｄ  被動ローラ
１０ｆ  第１ローラ
１０ｅ  第２ローラ
１２  プリンタ
１４  制御ボード
１６  パソコン
１８  エンコーダ
【図１】
2010012647.tif 000003
【図２】
2010012647.tif 000004
【図３】
2010012647.tif 000005
【図４】
2010012647.tif 000006